(57)【要約】【課題】  表示画像を無給電状態でも維持することができる筺体パネルを利用者が交換可能であり、しかも、筐体パネルの交換時に自由度の高い描画動作が可能になる電子機器を提供する。【解決手段】  電子機器（携帯電話機）２０に着脱可能な筐体パネル３１は、描画信号の供給を受けることにより画像が描画され該画像の表示状態が無給電状態でも維持される表示手段と、その表示手段に描画信号を供給する描画信号供給手段を有する。通信インターフェース部２０１等からなる信号送信手段は、描画信号の供給に用いる信号を筐体パネル３１に送信する。アプリケーションプログラム実行管理手段２００は、筐体パネル３１が電子機器２０の本体に装着されたときに、利用者によって予め設定されたアプリケーションプログラムの実行により、上記表示手段への描画信号の供給に用いる信号の送信を指示する描画指令を、上記信号送信手段に出力する。【選択図】  図１０
2007028342.tif 000002
【特許請求の範囲】
【請求項１】
筐体の外面部の少なくとも一部を構成する筐体パネルと、利用者による設定が可能なアプリケーションプログラムの実行を管理するアプリケーションプログラム実行管理手段とを備えた電子機器であって、
描画信号の供給に用いる信号を該筐体パネルに送信する信号送信手段を備え、
該筐体パネルは、描画信号の供給を受けることにより画像が描画され該画像の表示状態が無給電状態でも維持される表示手段及び該表示手段に描画信号を供給する描画信号供給手段を有するとともに、該電子機器の本体に対して着脱可能に構成され、
該アプリケーションプログラム実行管理手段は、該筐体パネルが該電子機器の本体に装着されたときに、利用者によって予め設定されたアプリケーションプログラムの実行により、該表示手段への描画信号の供給に用いる信号の送信を指示する描画指令を、該信号送信手段に出力することを特徴とする電子機器。
【請求項２】
請求項１の電子機器において、
上記アプリケーションプログラム実行管理手段は、上記描画指令を出力するアプリケーションプログラムを、上記筐体パネルが該電子機器の本体に装着されたときに自動起動することを特徴とする電子機器。
【請求項３】
請求項１又は２の電子機器において、
上記筐体パネルのパネル側電極に対応させて設けられた本体側電極と、
該本体側電極と該パネル側電極との接続を検知する電極接続検知手段とを備え、
上記アプリケーションプログラム実行管理手段は、該電極接続検知手段の検知結果に基づいて、該筐体パネルのパネル側電極と該本体側電極との接続が検知されたときに上記所定のアプリケーションプログラムの実行により上記描画指令を出力することを特徴とする電子機器。
【請求項４】
請求項１又は２の電子機器において、
該電子機器の本体に装着された該筐体パネルを該本体に係止する係止手段と、
該係止手段による該筐体パネルの係止を検知する係止検知手段とを備え、
上記アプリケーションプログラム実行管理手段は、該係止検知手段の検知結果に基づいて、該筐体パネルの係止が検知されたときに上記所定のアプリケーションプログラムの実行により上記描画指令を出力することを特徴とする電子機器。
【請求項５】
請求項１、２、３又は４の電子機器において、
上記筐体パネルに表示される画像のデータを記憶する記憶手段を備え、
上記信号供給手段は、上記アプリケーションプログラム実行管理手段から上記描画指令を受けたときに、該記憶手段から読み出した画像データに基づいて、上記表示手段への描画信号の供給に用いる信号を該筐体パネルに送信することを特徴とする電子機器。
【請求項６】
請求項１、２、３又は４の電子機器において、
上記信号供給手段は、上記アプリケーションプログラム実行管理手段から上記描画指令を受けたときに、上記筐体パネルから画像データを読み出し、該画像データに基づいて、上記表示手段への描画信号の供給に用いる信号を該筐体パネルに送信することを特徴とする電子機器。
【請求項７】
請求項１又は２の電子機器において、
該電子機器の本体に装着された上記筐体パネルを該本体に係止する係止手段と、
該係止の解除を検知する係止解除検知手段とを備え、
上記アプリケーションプログラム実行管理手段は、該係止解除検知手段の検知結果に基づいて、該筐体パネルの係止が検知されたときに、予め設定されたアプリケーションプログラムの実行により、上記表示手段への画像消去信号の供給に用いる信号の送信を指示する画像消去指令を上記信号送信手段に出力するものであることを特徴とする電子機器。
【発明の詳細な説明】
【技術分野】
【０００１】
本発明は、筺体の外面部の少なくとも一部を構成する筐体パネルを有する移動体通信端末等の電子機器に関するものである。
【背景技術】
【０００２】
従来、この種の電子機器として、画像の表示状態を無給電状態でも維持可能な表示手段を、筐体の外面部を構成する筐体パネル（カバー）に設けた移動体通信端末（無線通信装置）が知られている（特許文献１参照）。この移動体通信端末では、筐体パネルの表示手段に無給電状態でも画像を表示し続けることができる。
【特許文献１】特開２００１−８６２１３号公報
【発明の開示】
【発明が解決しようとする課題】
【０００３】
上記所定の表示手段で移動体通信端末の外壁部を構成すると、その表示手段に表示する画像を切り換えることにより、移動体通信端末の外観デザインを変更したり外壁部に情報を表示したりすることが可能になる。また、その変更後の外観デザインや情報表示等は無給電状態でも維持することができる。
しかしながら、上記従来の移動体通信端末では、上記表示手段が設けられている筐体パネルが外壁部に固定されているため、その筐体パネルを利用者が交換することが難しかった。また、筐体パネルを交換できるようにした場合、その交換時に、利用者の希望に応じて筐体パネルに画像を表示できるよう筐体パネルに対する描画動作の自由度を高めることができると便利である。
【０００４】
本発明の目的は、表示画像を無給電状態でも維持することができる筺体パネルを利用者が交換可能であり、しかも、筐体パネルの交換時に自由度の高い描画動作が可能になる電子機器を提供することである。
【課題を解決するための手段】
【０００５】
上記目的を達成するために、請求項１の発明は、筐体の外面部の少なくとも一部を構成する筐体パネルと、利用者による設定が可能なアプリケーションプログラムの実行を管理するアプリケーションプログラム実行管理手段とを備えた電子機器であって、描画信号の供給に用いる信号を該筐体パネルに送信する信号送信手段を備え、該筐体パネルは、描画信号の供給を受けることにより画像が描画され該画像の表示状態が無給電状態でも維持される表示手段及び該表示手段に描画信号を供給する描画信号供給手段を有するとともに、該電子機器の本体に対して着脱可能に構成され、該アプリケーションプログラム実行管理手段は、該筐体パネルが該電子機器の本体に装着されたときに、利用者によって予め設定されたアプリケーションプログラムの実行により、該表示手段への描画信号の供給に用いる信号の送信を指示する描画指令を、該信号送信手段に出力することを特徴とするものである。
また、請求項２の発明は、請求項１の電子機器において、上記アプリケーションプログラム実行管理手段は、上記描画指令を出力するアプリケーションプログラムを、上記筐体パネルが該電子機器の本体に装着されたときに自動起動することを特徴とするものである。
また、請求項３の発明は、請求項１又は２の電子機器において、上記筐体パネルのパネル側電極に対応させて設けられた本体側電極と、該本体側電極と該パネル側電極との接続を検知する電極接続検知手段とを備え、上記アプリケーションプログラム実行管理手段は、該電極接続検知手段の検知結果に基づいて、該筐体パネルのパネル側電極と該本体側電極との接続が検知されたときに上記所定のアプリケーションプログラムの実行により上記描画指令を出力することを特徴とするものである。
また、請求項４の発明は、請求項１又は２の電子機器において、該電子機器の本体に装着された該筐体パネルを該本体に係止する係止手段と、該係止手段による該筐体パネルの係止を検知する係止検知手段とを備え、上記アプリケーションプログラム実行管理手段は、該係止検知手段の検知結果に基づいて、該筐体パネルの係止が検知されたときに上記所定のアプリケーションプログラムの実行により上記描画指令を出力することを特徴とするものである。
また、請求項５の発明は、請求項１、２、３又は４の電子機器において、上記筐体パネルに表示される画像のデータを記憶する記憶手段を備え、上記信号供給手段は、上記アプリケーションプログラム実行管理手段から上記描画指令を受けたときに、該記憶手段から読み出した画像データに基づいて、上記表示手段への描画信号の供給に用いる信号を該筐体パネルに送信することを特徴とするものである。
また、請求項６の発明は、請求項１、２、３又は４の電子機器において、上記信号供給手段は、上記アプリケーションプログラム実行管理手段から上記描画指令を受けたときに、上記筐体パネルから画像データを読み出し、該画像データに基づいて、上記表示手段への描画信号の供給に用いる信号を該筐体パネルに送信することを特徴とするものである。
また、請求項７の発明は、請求項１又は２の電子機器において、該電子機器の本体に装着された上記筐体パネルを該本体に係止する係止手段と、該係止の解除を検知する係止解除検知手段とを備え、上記アプリケーションプログラム実行管理手段は、該係止解除検知手段の検知結果に基づいて、該筐体パネルの係止が検知されたときに、予め設定されたアプリケーションプログラムの実行により、上記表示手段への画像消去信号の供給に用いる信号の送信を指示する画像消去指令を上記信号送信手段に出力するものであることを特徴とするものである。
【０００６】
請求項１の電子機器では、本体に装着された筐体パネルに設けられた表示手段の画像を変更するときに、変更後の画像に対応した描画信号が表示手段に供給される。この描画信号によって表示手段に変更後の画像が描画されることにより、表示手段の画像が変更される。この変更後の画像の表示状態は無給電状態でも維持される。また、この表示手段を備えた筐体パネルは、電子機器の本体に着脱可能であるため、利用者の希望に応じて交換することができる。更に、筐体パネルが電子機器の本体に装着されると、予め設定されたアプリケーションプログラムの実行により描画指令を信号送信手段に出力する。信号送信手段は描画指令に基づいて筐体パネルの表示手段への描画信号の供給に用いる信号を筐体パネルに送信する。筐体パネルでは、電子機器の本体側からの信号を受けて表示手段に描画信号が供給されることにより、表示手段に所定の画像が表示される。このように筐体パネルの交換時に、利用者によって予め設定されたアプリケーションプログラムの実行により筐体パネルに対する自由度の高い描画動作が可能になる。
請求項２の電子機器では、筐体パネルの交換時にアプリケーションプログラムが実行されていない場合でも、上記描画動作を実行可能なアプリケーションプログラムを自動起動できる。
請求項３の電子機器では、筐体パネルが装着され本体の本体側電極と筐体パネルのパネル側電極との接続を検知されたときに、アプリケーションプログラム実行管理手段から信号送信手段に描画指令が出力される。この描画指令を受けた信号送信手段は、上記表示手段への描画信号の供給に用いる信号を筐体パネルに送信する。従って、電子機器の本体の本体側電極と筐体パネルのパネル側電極とが接続されて両電極間で通電が確保された状態で、上記所定の描画処理を実行できる。
請求項４の電子機器では、筐体パネルが装着されたとき、利用者が係止手段を操作することにより本体に係止されるので、電子機器の本体に装着された筐体パネルの脱落を防止できる。しかも、上記電子機器の本体に装着した筐体パネルの係止が検知されたときに、アプリケーションプログラム実行管理手段から信号送信手段に描画指令が出力される。この描画指令を受けた信号送信手段は、上記表示手段への描画信号の供給に用いる信号を筐体パネルに送信する。従って、交換後の筐体パネルが本体に確実に装着された状態で、上記所定の描画処理を実行できる。
請求項５の電子機器では、表示手段に表示される画像のデータが予め記憶手段に記憶されている。そして、筐体パネルの表示手段に画像が表示されるとき、電子機器内の記憶手段から読み出した画像データに基づいて生成された描画信号が表示手段に供給され、表示手段に上記所定の画像が表示される。このように筐体パネルに表示したい画像のデータを、その電子機器内に記憶させておくことにより、筐体パネルの交換時に、交換後の筐体パネルに所望の画像を確実に表示させることができる。
請求項６の電子機器では、筐体パネルの表示手段に画像が表示されるとき、筐体パネル内の記憶手段から読み出した画像データに基づいて生成された描画信号が表示手段に供給され、表示手段に上記所定の画像が表示される。このように筐体パネルに表示したい画像のデータを、その筐体パネル内に記憶させておくことにより、筐体パネルの交換時に、交換後の筐体パネルに対応した所望の画像を確実に表示させることができる。
請求項７の電子機器では、上記筐体パネルの取り外しに先だって筐体パネルの係止の解除が検知されたときに、アプリケーションプログラム実行管理手段から信号送信手段に画像消去指令が出力される。この画像消去指令を受けた信号送信手段は、上記表示手段への画像消去信号の供給に用いる信号を筐体パネルに送信する。筐体パネルでは、電子機器の本体側からの信号を受けて表示手段に画像消去信号が供給されることにより、表示手段に表示されていた画像が消去される。従って、電子機器の本体から取り外される筐体パネルに表示されていた画像を確実に消去できる。
【０００７】
なお、上記筐体パネルの表示手段に供給される描画信号は、筐体パネル内で生成してもいいし、電子機器の本体内で生成して筐体パネルに送信してもよい。
また、電子機器の本体から筐体パネルに送信する信号には、描画信号供給手段を動作させるための電源供給のための信号を含ませてもよい。
また、電子機器の本体から筐体パネルへの信号の送信は、電子機器の本体の本体側電極と、筐体パネルに設けたパネル側電極とを接触させた接触状態で行ってもいいし、両電極を接触させない非接触状態で行ってもよい。非接触で行う場合は、上記本体側電極とパネル側電極との間における電磁波や電磁誘導等を利用して非接触で行ってもよい。
【０００８】
また、上記「電子機器」には、移動体通信端末のほか、携帯型情報端末（ＰＤＡ：Personal Digital Assistance）など、情報記憶手段を備えるあらゆる電子機器が含まれる。また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone System）などが挙げられる。
また、上記電子機器の本体や筐体パネルにおける処理及び制御は、これに設けられたコンピュータで所定のプログラムを実行することによって実現することもできる。このコンピュータで用いるプログラムの受け渡しは、デジタル情報としてプログラムを記録したＦＤ、ＣＤ−ＲＯＭ等の記録媒体を用いて行ってもいいし、コンピュータネットワーク等の通信ネットワークを用いて行ってもよい。
【発明の効果】
【０００９】
本発明によれば、電子機器における筐体の外面部の少なくとも一部を構成する筐体パネルに表示した画像の表示状態無給電状態でも維持することができるとともに、その筐体パネルを利用者が着脱することにより筐体パネルを交換できる。しかも、筐体パネルの交換時に、利用者によって予め設定されたアプリケーションプログラムの実行により、筐体パネルに対する自由度の高い描画動作が可能になるという効果がある。
【発明を実施するための最良の形態】
【００１０】
以下、本発明の実施形態について図面を参照しながら説明する。
図１（ａ）は携帯電話機２０の外観の一例を示す正面図であり、図１（ｂ）はその携帯電話機２０の背面図である。この携帯電話機２０は、ヒンジ部を中心にして互いに揺動可能な蓋部２９と本体部３０とを有するクラムシェル（折り畳み）タイプの携帯電話機である。蓋部２９は、本体部３０に設けられたキー操作部のキー２１〜２５が操作可能な開状態（図１の状態）と、キー操作部のキー２１〜２５を覆った閉状態とをとり得るようになっている。上記開状態にある蓋部２９を構成するケーシングには、画像の表示状態が維持されている間も電力を消費する一般的な給電画像表示手段である液晶ディスプレイ（ＬＣＤ）２７、スピーカ２８等が設けられている。また、上記本体部３０の外壁部を構成するケーシングには、上記キー操作部を構成するキー２１〜２５、マイク２６等が設けられている。これらのキー２１〜２５等からなるキー操作部、および上記給電画像表示手段としての通常の液晶ディスプレイ（ＬＣＤ）２７は、利用者が操作可能な上記開状態にあるケーシングの利用者に対向する側の外壁部に設けられている。これにより、利用者は、上記液晶ディスプレイ２７の画面を見ながらキー操作部のキー２１〜２５を操作することができる。
【００１１】
また、携帯電話機２０の本体の一部である蓋部２９は、無給電画像表示手段としての無給電表示部を有する筐体パネル３１が着脱可能に構成されている。この蓋部２９の筐体パネル３１が着脱可能な部分は、図１（ｂ）に示すように、蓋部２９の筐体の外面部である上部ケーシングの外部露出部分である。この外部露出部分は、上部ケーシングの相対する２つの外面部のうちＬＣＤ２７側の外壁部（正面部）とは反対側の外壁部（背面部）である。
上記無給電表示部は、描画信号の供給を受けることにより画像が描画され、その画像の表示状態が無給電状態でも維持される表示手段である。この筐体パネル３１の無給電表示部は、表示画像を切り換えるための描画用駆動信号（以下、「描画信号」という。）を受けることで表示画像が変化し、且つ、その画像の表示状態を無給電状態でも維持可能に構成されている。
また、上記蓋部２９には、蓋部２９の本体に装着された筐体パネル３１をその本体に係止する係止手段として、１組の係止部材２９１ａ、２９１ｂが設けられている。
【００１２】
図２（ａ）〜（ｃ）は、図１（ｂ）における携帯電話機１０の蓋部２９のＡ−Ａ断面を矢印方向から見た、筐体パネル３１の取り外しの様子を示す断面図である。また、図３（ａ）〜（ｃ）は、携帯電話機１０の蓋部２９の側方から見た、筐体パネル３１の取り外しの様子を示す部分拡大側面図である。
前述のように、蓋部２９に設けられている各係止部材２９１ａ、２９１ｂは、蓋部２９の本体に設けられた回動軸２９２ａ、２９２ｂを中心に回動可能に取り付けられている。各係止部材２９１ａ、２９１ｂの回動軸２９２ａ、２９２ｂとは反対側の先端部には、爪部が設けられている。この係止部材２９１ａ、２９１ｂの爪部は、蓋部２９の本体に装着された筐体パネル３１の側端部表面に形成された溝部に嵌合するように設けられている。そして、図２（ａ）及び図３（ａ）に示すように、蓋部２９の本体に筐体パネル３１が装着された後、係止部材２９１ａ、２９１ｂを揺動させて係止部材２９１ａ、２９１ｂの爪部と筺体パネル側の溝部とを嵌合させる。これにより、蓋部２９の本体に筐体パネル３１を係止することができる。このように筺体パネル３１が蓋部本体に係止されると、後述のように互いに対応するように形成された筺体パネル３１のパネル側電極と蓋部２９の本体の本体側電極とが接続される。
【００１３】
蓋部２９の本体から筐体パネル３１を取り外すときは、図２（ｂ）及び図３（ｂ）に示すように係止部材２９１ａ、２９１ｂを外側に揺動させ、係止部材２９１ａ、２９１ｂの爪部と筺体パネル側の溝部との嵌合をはずす。これにより、蓋部２９の本体に対する筐体パネル３１の係止を解除することができる。このように筐体パネル３１の係止を解除した後、図２（ｃ）及び図３（ｂ）に示すように筐体パネル３１を持ち上げて蓋部２９の本体から離間させることにより、筐体パネル３１を取り外すことができる。
【００１４】
なお、図２及び３の構成において、蓋部２９の本体側の係止部材２９１ａ，２９１ｂ又はその回動軸２９２ａ，２９２ｂには、係止部材２９１ａ，２９１ｂによる筐体パネル３１の係止を検知する係止検知手段が設けられている。この係止検知手段としては、係止部材２９１ａ，２９１ｂの回転を磁気的又は光学的に検知するセンサを用いることができる。また、この係止検知手段は、上記係止部材２９１ａ，２９１ｂによる筐体パネル３１の係止の解除を検知する係止解除検知手段として兼用することができる。
【００１５】
図４（ａ）〜（ｃ）は、他の構成例にかかる携帯電話機１０の蓋部２９の部分拡大側面図である。この構成では、蓋部２９の本体に装着された筐体パネル３１をその本体に係止する係止手段としての１組の係止部材３２０ａが、筺体パネル３１の側端部に設けられている。この筺体パネル３１に設けられている各係止部材３２０ａは、筺体パネル３１に設けられた回動軸３２１ａを中心に回動可能に取り付けられている。各係止部材３２０ａの回動軸３２１ａとは反対側の先端部には、爪部が設けられている。この係止部材３２０ａの爪部は、蓋部２９の本体の側端部表面に形成された溝部２９３ａに嵌合するように設けられている。そして、図４（ａ）に示すように、蓋部２９の本体に筐体パネル３１が装着された後、係止部材３２０ａを揺動させて係止部材３２０ａの爪部と筺体パネル側の溝部２９３ａとを嵌合させる。これにより、蓋部２９の本体に筐体パネル３１を係止することができる。
蓋部２９の本体から筐体パネル３１を取り外すときは、図４（ｂ）に示すように係止部材３２１ａを外側に揺動させ、係止部材３２０ａの爪部と筺体パネル側の溝部２９３ａとの嵌合をはずす。これにより、蓋部２９の本体に対する筐体パネル３１の係止を解除することができる。このように筐体パネル３１の係止を解除した後、図４（ｃ）に示すように筐体パネル３１を持ち上げて蓋部２９の本体から離間させることにより、筐体パネル３１を取り外すことができる。
図４の構成において、筐体パネル３１側の係止部材３２０ａの回動軸３２１ａに、係止部材３２０ａによる筐体パネル３１の係止を検知する係止検知手段が設けられている。この係止検知手段としては、前述のように、係止部材３２０ａの回転を磁気的又は光学的に検知するセンサ等を用いることができる。また、この係止検知手段は、上記係止部材３２０ａによる筐体パネル３１の係止の解除を検知する係止解除検知手段として兼用することができる。
【００１６】
なお、上記係止手段（係止部材）、係止検知手段及び係止解除検知手段は、図２〜４に示す構成に限定されるものではない。例えば、上記係止部材を所定の弾性率を有する弾性材料（例えば板状のプラスチック材）を用いて蓋部２９の本体又は筺体パネル３１と一体構成し、筺体パネル３１の装着時に外側に若干ひろげて先端の爪部を相手側部材（蓋部本体又は筺体パネル）の溝部に嵌合させるようにしてもよい。この場合の係止検知手段（係止解除検知手段）としては、例えば、上記弾性材料からなる係止部材のひずみを検知するセンサを用いることができる。このセンサにより、蓋部２９の本体に装着された筺体パネル３１を係止する係止部材に発生しているひずみを検知することにより、筺体パネル３１の係止を検知することができる。また、筺体パネル３１が取り外されると係止部材のひずみがほぼゼロになるまで低下するため、そのひずみの低下を検知することにより、筺体パネル３１の係止解除を検知することができる。
【００１７】
また、上記係止手段（係止部材）を備えていない場合は、上記係止検知手段及び係止解除検知手段に代えて、筺体パネル３１の装着を検知する装着検知手段（装着解除検知手段）を設けてもよい。この場合、例えば、蓋部２９の本体の筺体パネル３１が装着される表面部に、その表面部から突出した突出位置と表面部内に退避した退避位置との間で移動可能な可動部材（例えば円筒形状のピン部材）を設ける。この可動部材は、上記表面部から突出した位置に付勢されている。そして、上記装着検知手段としては、上記可動部材の移動位置を検知するセンサを用いることができる。蓋部２９の本体に筺体パネル３１が装着されると、筺体パネル３１の表面で上記表面部内の退避位置に可動部材が押し込まれる。この可動部材の退避位置への移動をセンサで検知することにより、筺体パネル３１の装着を検知することができる。また、可動部材の突出位置への移動を検知することにより、筺体パネル３１の装着の解除すなわち筺体パネル３１の取り外しを検知することができる。
また、上記装着検知手段（装着解除検知手段）としては、蓋部２９の本体に装着された状態にある筺体パネル３１の周端部に対向する位置に設けられ、その筺体パネル３１の周端部を光学的又は磁気的に検知するセンサを用いてもよい。
【００１８】
図５（ａ）は本実施形態の携帯電話機２０における筐体パネル３１の無給電表示部３１０の一構成例を示す断面図である。この無給電表示部３１０はコレステリック液晶を用いて形成され、ベース部材３２２上に設けられている。この無給電表示部３１０は、透明下基材層３１１、コレステリック液晶層３１２、透明上基材層３１３の３層構造となっている。透明下基材層３１１及び透明上基材層３１３としては例えばガラス薄板を用いることができる。透明下基材層３１１の上部すなわち携帯電話機２０の外部側には、下格子電極としての行電極３１４が設けられており、透明上基材層３１３の下部すなわち携帯電話機２０の内部側には、上格子電極としての列電極３１５が設けられている。列電極３１４は、携帯電話機２０の横方向（図１中横方向）に平行に延びる所定ピッチの多数のライン状電極で構成されており、これらのライン状電極の端部は、後述の描画信号供給手段としての描画信号供給部３３０の出力端子に接続されている。また、列電極３１５は、携帯電話機２０の縦方向（図１中縦方向）に平行に延びる所定ピッチの多数のライン状電極で構成されており、これらのライン状電極の端部も同様に描画信号供給部３３０の出力端子に接続されている。これらの行電極３１４及び列電極３１５は、無給電表示部３１０の表示領域の全域にわたって、その電極が延びる方向が互いに直交するように配置されている。そして、後述の描画信号供給部３３０から適切なＯＮ／ＯＦＦタイミングで描画信号（電気信号）を行電極３１４及び列電極３１５に入力することにより、表示領域の任意の地点における行電極３１４と列電極３１５との間の電位差を制御できる。
【００１９】
上記コレステリック液晶３１２は、図５（ｂ）に示すように、入射した光のうち、分子配列のらせん周期Ｌに応じて決まる波長の光を選択的に反射させることで、フルカラー表現を可能にしている。分子配列のらせん周期Ｌは、一般に温度が上昇すると小さくなるので、温度コントロールにより所望の色を表現することができる。また、コレステリック液晶３１２は、急冷することにより分子配列のらせん周期Ｌを固定化することが可能である。したがって、らせん周期Ｌを固定化した後は、色を固定できる。このような特性から、コレステリック液晶３１２を用いた無給電表示部３１０は、表示画像を切り換える描画処理を行う際には温度コントロール用の描画信号を供給するため電力を消費するが、一旦画像が表示された後は無電力で画像を表示し続けることができる。
【００２０】
なお、上記画像の表示状態を無給電状態でも維持可能な無給電表示部３１０としては、コレステリック液晶に限らず、例えば強誘電性液晶を用いたものであってもよい。
【００２１】
図６は他の構成例に係る筐体パネル３１の無給電表示部３１０の断面図である。この無給電表示部３１０はベース部材３２２上に設けられ、透明下基材層３１６、画像記録層３１７、透明上基材層３１８、保護層３１９の４層構造となっている。透明下基材層３１６の上部すなわち携帯電話機２０の外部側には、下格子電極としての行電極３１４が設けられており、透明上基材層３１８の下部すなわち携帯電話機２０の内部側には、上格子電極としての列電極３１５が設けられている。行電極３１４は、携帯電話機２０の横方向（図１中横方向）に平行に延びる所定ピッチの多数のライン状電極で構成されており、これらのライン状電極の端部は、描画信号供給部３３０の出力端子に接続されている。また、列電極３１５は、携帯電話機２０の縦方向（図１中縦方向）に平行に延びる所定ピッチの多数の電線で構成されており、これらのライン状電極の端部も同様に描画信号供給部３３０の出力端子に接続されている。これらの行電極３１４及び列電極３１５は、無給電表示部３１０の表示領域無給電表示部３１０の全域にわたって、その電極が延びる方向が互いに直交するように配置されている。そして、描画信号供給部３３０から適切なＯＮ／ＯＦＦタイミングの描画信号（電気信号）を入力することにより、表示領域の任意の地点における行電極３１４と列電極３１５との間の電位差を制御できる。
【００２２】
上記画像記録層３１７としては、行電極３１４と列電極３１５との間に印加される電位差によってその地点の可視状態を制御することが可能であって、描画信号供給部３３０から電気信号の入力がなくなっても、その可視状態が維持されるものを利用することができる。例えば、透明なマイクロカプセル内に多数の白色粒子及び黒色粒子を封入し、これを行電極３１４と列電極３１５の電線とが互いに交差する全ての地点（画素点）に配置したものを、上記画像記録層３１７として用いることができる。この場合、各マイクロカプセル内の白色粒子と黒色粒子は互いに逆極性に帯電している。例えば、白色粒子として負極性帯電物質を用い、黒色粒子として正極性帯電物質を用いる。描画処理部２００から電気信号を入力して、ある画素点における行電極３１４の電位を負極性とし、列電極３１５の電位を正極性とした場合、その画素点のマイクロカプセル内では黒色粒子が列電極３１５側へ電気泳動し、白色粒子が行電極３１４側へ電気泳動する。その結果、この画素点を携帯電話機２０の外部から見たとき、その画素点は黒色に見える。逆に、行電極３１４の電位を正極性とし列電極３１５の電位を負極性とした場合の画素点は、白色に見える。このような描画制御を表示領域の全域にわたって行うことで、その表示領域に所望のモノクロ画像を表示させることができる。しかも、各マイクロカプセル内の黒色粒子と白色粒子の配置は、描画信号供給部３３０からの電気信号の入力がなくなっても維持される。したがって、本筐体パネル３１の無給電表示部３１０は、一旦表示した画像を無給電状態であってもそのまま維持することができる。また、描画信号供給部３３０から入力される電気信号に応じて、多階調のモノクロ画像を表示させることもできる。
【００２３】
なお、ここでは、モノクロ画像について説明したが、カラー画像を表示させることも可能である。カラー画像を表示させる具体例としては、上記透明上基材層３１８と上記保護層３１９との間にカラーフィルタ層を設けたものが挙げられる。このカラーフィルタ層としてＲ（赤）、Ｇ（緑）、Ｂ（青）の３色のフィルターを用いた場合、行電極３１４と列電極３１５とが互いに交差する地点のうち、互いに隣接する３つの地点を１つの画素として取り扱う。そして、この３つの地点にそれぞれＲ、Ｇ、Ｂのフィルタ部分が対向するように、カラーフィルタ層を設ける。これにより、例えばある画素を赤色とする場合には、Ｒフィルタ部分に対向するマイクロカプセルについては白色粒子が列電極３１５側へ電気泳動し、Ｇフィルタ部分及びＢフィルタ部分に対向するマイクロカプセルについては黒色粒子が列電極３１５側へ電気泳動するような、描画信号（電気信号）を入力する。
【００２４】
また、本発明で用いることができる無給電表示部３１０としては、表示画像を切替可能でかつ無給電状態でも表示画像の表示状態を維持可能なものであれば、利用することができる。例えば、表示画像を切り換えるための描画用駆動信号（電気信号）を受けることで表示画像が変化し且つその画像の表示状態を無給電状態でも維持可能な他の公知の電子ペーパーなどを利用することができる。
【００２５】
図７は、本実施形態の筺体パネル３１の内部回路の概略構成を示すブロック図である。筺体パネル３１は、上記コレステリック液晶等を用いた無給電表示部３１０に所望の画像を表示させるように描画信号を供給する描画信号供給手段としての描画信号供給部３３０を備えている。この描画信号供給部３３０は、無給電表示部３１０の表示領域に描画信号としての描画駆動信号（駆動電圧）を供給するものであり、描画処理部３３１と列電極駆動部３３２と行電極駆動部３３３とを備えている。描画処理部３３１は、蓋部本体側から送られてくる画像ファイルのデータや無給電表示部３１０の画面全体の各画素の描画データ等の描画関連の各種信号に基づいて、列電極駆動部３３２及び行電極駆動部３３３に供給する描画駆動制御信号を生成する。この描画処理部３３１はアナログ回路又はデジタル回路で構成することができる。また、描画処理部３３１はＣＰＵやＲＡＭ・ＲＯＭ等からなる小型のマイコンで構成することもできる。
上記列電極駆動部３３２は、描画処理部３３１から受けた列電極用の描画駆動制御信号に基づいて、所定の列電極３１５に描画駆動信号を供給する。また、上記行電極駆動部３３３は、描画処理部３３１から受けた行電極用の描画駆動制御信号に基づいて、所定の行電極３１４に描画駆動信号を供給する。
【００２６】
また、上記描画信号供給部３３０の描画処理部３３１は、筺体パネル３１の蓋部側に対向する表面に形成されたパネル側電極群３３４の複数のパネル側電極の端子（以下、「パネル側電極端子」という。）３３４ａ，３３４ｂ，３３４ｃそれぞれが接続されている。これらの複数のパネル側電極端子のうちパネル側電極端子３３４ａは、画像ファイルのデータ、描画データ、描画指令、画像消去指令等の描画関連の各種信号を蓋部本体側から受ける電極である。また、パネル側電極端子３３４ｂは、上記描画処理部３３１等の電気回路に供給される電源電圧・電流を受ける電極である。また、パネル側電極端子３３４ｃはアースに接続されるグランド電極である。なお、これらのパネル側電極端子の個数は、携帯電話機本体との間の信号の送受信の態様等に応じて設定され、図中の個数に限定されるものではない。
【００２７】
図８は、他の構成例に係る筺体パネル３１の内部回路の概略構成を示すブロック図である。この筺体パネル３１は、無給電表示部３１０に表示される画像のデータ（画像ファイルのデータや描画データ）を記憶する記憶手段としての内部メモリ３３５を備えている。描画処理部３３１は、蓋部本体側から描画関連の信号として送信されてきた描画指令に基づいて、内部メモリ３３５に記憶されている画像ファイル又は描画データを読み出し、前述の列電極駆動部３３２及び行電極駆動部３３３に供給する描画駆動制御信号を生成する。
なお、描画処理部３３１は、内部メモリ３３５から読み出した画像ファイルのデータを本体側に一旦送り、本体側で生成されて送り返されてきた描画データに基づいて、前述の列電極駆動部３３２及び行電極駆動部３３３に供給する描画駆動制御信号を生成するようにしてもよい。
【００２８】
図９は、更に他の構成例に係る筺体パネル３１の内部回路の概略構成を示すブロック図である。この筺体パネル３１は、前述の係止部材３２０ａ（図４参照）の回転を検知する係止検知手段（係止解除検知手段）としてのセンサ（以下、「係止センサ」という。）３３６を備えている。描画処理部３３１は、係止センサ３３６の出力に基づいて、上記係止部材３２０ａによる筐体パネル３１の係止及びその係止の解除を判定することができる。描画処理部３３１は、筐体パネル３１が係止されていると判定したときには、無給電表示部３１０に所定の画像を描画するための描画駆動制御信号を生成し、列電極駆動部３３２及び行電極駆動部３３３に供給する。一方、筐体パネル３１の係止が解除されていると判定したときには、無給電表示部３１０に表示されている画像を消去するための描画駆動制御信号を生成し、列電極駆動部３３２及び行電極駆動部３３３に供給する。
【００２９】
図１０は、本実施形態に係る携帯電話機２０の本体の主な構成を示すブロック図である。この携帯電話機２０は、制御手段としての主制御部２１０と、記憶手段としての内部メモリ２１１と、携帯電話通信網を介して通信を行う通信手段としての無線通信部２１２及びアンテナ２１３とを備えている。また、携帯電話機２０は、音信号処理部２１４と、表示制御部２１５と、操作手段としてのキー操作部２１６と、計時手段としての時計部２１７とを備えている。更に、携帯電話機２０は、アプリケーションプログラム実行管理部２００と、通信インターフェース部２０１と、前述の係止部材２９１ａ，２９１ｂ（図２参照）の回転を検知する係止検知手段（係止解除検知手段）としてのセンサ（以下、「係止センサ」という。）２２０とを備えている。
【００３０】
上記主制御部２１０は、例えばＣＰＵ、キャッシュメモリ、ＲＯＭ、システムバス等で構成され、所定の制御プログラムを実行することにより、内部メモリ２１１、無線通信部２１２、時計部２１６等の各部との間でデータの送受信を行ったり、各部を制御したりする。この主制御部２１０には、音信号処理部２１４を介して音入力手段としてのマイク２６及び音出力手段としてのスピーカ２８が接続され、表示制御部２１５を介して一般的な給電画像表示手段である液晶ディスプレイ２７が接続されている。また、主制御部２１０には、キー操作部２１６、時計部２１７、通信インターフェース部２０１、係止センサ２２０が接続されている。
【００３１】
また、上記主制御部２１０は、他の携帯電話機等との間で電話したりメールを送受信したりするときに、所定の通信処理を実行するように無線通信部２１２や内部メモリ２１１等を制御する。また、主制御部２１０は、携帯電話通信網やインターネット上のサーバとの間でデータ通信を行い、各種コンテンツのデータをダウンロードしたり配信情報を受信したりするときに、所定の通信処理を実行するように無線通信部２１２や内部メモリ２１１等を制御する。
【００３２】
また、上記主制御部２１０は、描画データ生成手段として機能することもできる。この場合、主制御部２１０は、利用者がダウンロードした画像ファイルや携帯電話機２０で作成した画像ファイルに基づいて、筐体パネル３１の画面の全画素に対応する描画データを作成する。上記通信インターフェース部２０１は、主制御部２１０で生成された描画データを描画関連の信号として所定の信号形式に変換して筐体パネル３１に送信する。この主制御部２１０及び通信インターフェース部２０１を用いて、筐体パネル３１の無給電表示部３１０への描画信号の供給に用いる信号を本体側電極の端子２９４ａを介して筐体パネル３１に送信する信号送信手段が構成されている。
【００３３】
また、上記主制御部２１０は、係止センサ２２０の検知結果や通信インターフェース部２０１による電極接続の検知結果に基づいて、筐体パネル３１に対する描画関連の各種信号（画像ファイルデータ、描画データ、描画指令、画像消去指令等の信号）の送信を制御することができる。
【００３４】
上記内部メモリ２１１は、例えばＲＡＭやＲＯＭなどの半導体メモリで構成され、主制御部２１０で実行する制御プログラムや各種データを記憶するものである。また、この内部メモリ２１１は、情報提供サイトなどからダウンロードした画像、音楽、プログラム等のコンテンツデータを記憶するコンテンツデータ記憶手段としても用いられる。更に、この内部メモリ２１１は、スピーカ１０９から出力する音のデータを記憶する音データ記憶手段としても用いられる。
また、上記内部メモリ２１１は、筐体パネル３１や液晶ディスプレイ２７に表示する表示対象の画像データ（画像ファイルのデータ）を記憶するための画像データ記憶手段や、筐体パネル３１や液晶ディスプレイ２７の画面の全画素に対応する描画データを記憶するための描画データ記憶手段としても用いられる。
なお、これらの記憶手段としては、上記内部メモリ２１１ではなく、携帯電話機本体に着脱可能なメモリーカード、ＩＣカード等の記憶媒体を用いてもよい。
【００３５】
上記無線通信部２１２は、例えば変復調器、シンセサイザ、周波数変換器，高周波増幅器などにより構成され、携帯電話通信網を介して各種装置やサーバと通信したり他の携帯電話機等と通信したりするための処理を行う。
【００３６】
上記表示制御部２１５は、主制御部１２０から送られてきた画像データや描画データに基づいてディスプレイ２７に画像を表示するように制御する。
【００３７】
上記スピーカ２８は、音信号処理部２１４でデジタル信号から変換されたアナログ信号が入力され、通話中の音声を出力したり、メールの着信音、電話の呼び出し音、音楽などを出力したりする。なお、上記スピーカ２８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００３８】
上記キー操作部２１６は、図１（ａ）に示すようにデータ入力キー（テンキー、＊キー、＃キー）２１、通話開始キー２２、終話キー２３、スクロールキー２４、多機能キー２５等の複数のキーで構成されている。このキー操作部２１６は、利用者が通話開始、終話、メニュー選択、画面切り換え等を指示したり情報を入力したりするときに用いられるほか、筐体パネル３１に表示する画像を利用者が指定するための表示画像指定手段としても用いられる。
【００３９】
上記時計部２１７は、正確な日時を計数し、更新処理等のための時刻情報を生成する。上記マイク２６は、利用者の音声を電気信号（アナログ信号）に変換する。マイク２６から出力される音声の電気信号（アナログ信号）は、音信号処理部２１４に入力され、デジタル信号に変換される。このマイク２６により、通常の電話やテレビ電話で使用する音声を入力することができる。
【００４０】
携帯電話機２０は、蓋部２９の本体の筐体パネル３１が装着される面に、通信インターフェース部２０１に接続されている本体側電極群２９４の複数の本体側電極の端子（以下、「本体側電極端子」という。）２９４ａ，２９４ｂ，２９４ｃが設けられている。これらの複数の本体側電極端子のうち本体側電極端子２９４ａは、画像ファイルのデータ、描画データ、描画指令等の描画関連の各種信号を筐体パネル３１側に送信する電極である。図１０の例では、描画データからなる信号を送信している。また、本体側電極端子２９４ｂは、筐体パネル３１内の電気回路に供給される電源電圧・電流を供給する電極である。また、本体側電極端子２９４ｃはアースに接続されるグランド電極である。なお、これらの本体側電極端子の個数は、筺体パネル３１との間の信号の送受信の態様等に応じて設定され、図中の個数に限定されるものではない。
上記通信インターフェース部２０１は、携帯電話機本体の本体側電極端子と筐体パネル３１のパネル側電極端子との接続を検知する電極接続検知手段としても機能する。この電極接続の検知には、例えば、本体側電極端子（電源端子）２９４ｂとパネル側電極端子３３４ｂとの間の通電や、本体側電極端子（グランド端子）２９４ｃとパネル側電極端子３３４ｃとの間の通電を利用できる。
【００４１】
図１１は、携帯電話機２０におけるソフトウェア構造の説明図である。アプリケーションプログラムの実行を管理するアプリケーションプログラム実行管理手段としてのアプリケーションプログラム実行管理部２００は、システムバス、ＣＰＵやＲＡＭの一部等のハードウェアで構成されている。このアプリケーションプログラム実行管理部２００は、図１１のソフトウェア構造上において中央の「アプリケーション実行環境」に対応しており、オブジェクト指向プログラミングで開発されたプラットフォームに依存しないアプリケーションプログラムに利用されるクラスライブラリ、実行環境管理ライブラリ、アプリケーション管理等のソフトウェアを提供し、アプリケーションプログラムの実行環境を管理する。このアプリケーション実行環境は、実行するアプリケーションプログラムに応じて適宜選定される。例えば、実行するアプリケーションプログラムがＪＡＶＡ（登録商標。以下同様。）で記述されたものである場合には、ＪＡＶＡのアプリケーション実行環境を選定する。また、実行するアプリケーションプログラムがＢＲＥＷ（登録商標。以下同様。）の実行環境上で動作するＣ言語で記述されたものである場合には、ＢＲＥＷのアプリケーション実行環境を選定する。なお、実行するアプリケーションプログラムがＪＡＶＡで記述されたものである場合には、ＢＲＥＷのアプリケーション実行環境上に更にＪＡＶＡのアプリケーション実行環境を構築することで、これを実行することができる。
ここで、アプリケーションプログラムは、クラスライブラリＡＰＩ（アプリケーションインターフェース）を介して上記アプリケーション実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで、内部メモリ２１１（ＲＡＭ）内におけるアプリケーション用記憶領域に記憶される。また、アプリケーション実行環境は、アプリケーションプログラムの実行に際して用いる各種データも、そのアプリケーション用記憶領域に保存する。そして、この各種データを用いるときには、このアプリケーション用記憶領域から読み出したり、書き込んだりする。また、アプリケーション実行環境内の実行環境管理ライブラリは、電話機プラットフォームＡＰＩを介して後述の電話機プラットフォーム内の電話機プラットフォームライブラリを呼び出して使用できるようになっている。
【００４２】
携帯電話機２０の主制御部２１０は、アプリケーションプログラム実行管理部２００との間で制御命令や各種データのやりとりを行い、これらと協働して制御を行う。この主制御部２１０は、図１１のソフトウェア構造上において最下部の「電話機プラットフォーム」に対応しており、電話通信部等を制御するための制御用プログラムやユーザインターフェースを実行したり、電話機プラットフォームライブラリを提供したりする。この電話機プラットフォームは、上記アプリケーション実行環境内の実行環境管理ライブラリに対してイベントを送ることにより、アプリケーションプログラムにおいて各種処理を実行したり、アプリケーション管理ＡＰＩを介して上記アプリケーション実行環境内のアプリケーション管理のソフトウェアを呼び出して使用したりできるようになっている。また、アプリケーション実行環境が電話機プラットフォームＡＰＩを介して電話機プラットフォームライブラリを呼び出して使用したとき、電話機プラットフォームは、その電話機プラットフォームライブラリに応じた処理を実行する。例えば、電話機プラットフォームは、電話機プラットフォームライブラリを利用したアプリケーション実行環境からの指示に基づき、内部メモリ内における電話機プラットフォームが管理するプラットフォーム用記憶領域に記憶されたデータを読み出して、これをアプリケーション用記憶領域に移行することができる。
【００４３】
また、アプリケーションプログラムの内容に従って、携帯電話機２０に装着した筺体パネル３１に所定の画像を表示する場合は、次のように動作する。まず、利用者は、筺体パネル３１に表示される画像を制御可能なアプリケーションプログラムをダウンロードサーバからダウンロードして取得し、これを予め登録しておく。具体的には、利用者はキーを操作してダウンロードサーバにアクセスする。これにより、ダウンロード可能なアプリケーションプログラムを選択するためのダウンロード選択画面が液晶ディスプレイ２７上に表示される。そして、このダウンロード選択画面において、実行対象となるアプリケーションプログラムをスクロールキー２４を用いて選択し、多機能キー２５を押下すると、主制御部２１０が通信装置２１２を制御して、そのアプリケーションプログラムをダウンロードサーバからダウンロードする。このようにしてダウンロードされたアプリケーションプログラムは、主制御部２１０により、内部メモリ２１１に記憶される。このようにダウンロードしたアプリケーションプログラムを実行する場合、利用者は、キー操作部２１６のキーを操作して、実行するアプリケーションプログラムを選択し、実行指示操作を行う。すると、図１１に示した電話機プラットフォームにアプリケーションプログラムの実行指示が入力される。これにより、主制御部２１０は、所定のアプリケーションプログラムを読み出してこれを起動する。このアプリケーションプログラムから図１１に示したアプリケーション実行環境に対して描画指令が送られると、アプリケーションプログラム実行管理部２１９は、電話機プラットフォームの主制御部２１０に対して描画命令を送る。これを受けた主制御部２１０は、その描画指令に係る画像データを内部メモリ２１１等から読み出す。その後、主制御部２１０は、通信インターフェース部２０１を介して筺体パネル３１に、画像データに基づく描画指令を描画関連の信号として出力する。これにより、筺体パネル３１に所定の画像を描画・表示させることができる。このようにアプリケーションプログラムの内容に従って、携帯電話機２０に装着した筐体パネル３１に所定の画像を表示することができる。
【００４４】
次に、携帯電話機２０の本体に筺体パネル３１を装着するときの携帯電話機２０における動作例（動作例１〜８）について説明する。なお、以下の動作例の説明では、「アプリケーションプログラム」を「アプリ」といい、「アプリケーションプログラム実行環境」を「アプリ実行環境」といい、図１１における電話機プラットフォームを「ネイティブ」という。
【００４５】
〔動作例１〕
図１２は、携帯電話機２０の本体に筺体パネル３１を装着するときの携帯電話機２０における動作例を示すフローチャートである。この動作例では、携帯電話機本体の本体側電極端子と筐体パネル３１のパネル側電極端子との接続を検知し、起動中のアプリにより、筺体パネル３１に画像を描画している。
まず、利用者が携帯電話機２０の主電源をオンにした状態で筺体パネル３１を装着すると、携帯電話機２０のネイティブは、本体側電極端子２９４ａ，ｂ，ｃと筐体パネル３１のパネル側電極端子との接続（端子通電）を検知する（Ｓ１０１）。
次に、携帯電話機２０のネイティブは、上記端子通電を検知すると筐体パネル３１が装着されているとみなし、そのパネル装着をアプリに通知する（Ｓ１０２）。
次に、携帯電話機２０のアプリ実行環境は、実行中のアプリが、筐体パネル３１の描画処理に対応しているか否か、及び筐体パネル３１の描画処理が設定されているか否かをそれぞれ判定する（Ｓ１０３、Ｓ１０４）。ここで、実行中のアプリが、筐体パネル３１の描画処理に対応しており、しかも筐体パネル３１の描画処理が設定されている場合には、内部メモリ２１１のアプリ用の記憶領域に、筐体パネル３１用の画像データ（画像ファイル）が存在するか否かを判定する（Ｓ１０５）。ここで、筐体パネル３１用の画像データ（画像ファイル）が存在する場合、携帯電話機２０のアプリ実行環境は、その画像データを読み出して筺体パネル用の描画データを生成するとともに、ネイティブに描画指令を出力する（Ｓ１０６）。一方、筐体パネル３１用の画像データ（画像ファイル）が存在しない場合は、その旨のエラーメッセージを液晶ディスプレイ２７に表示する（Ｓ１０７）。
次に、携帯電話機２０のネイティブは、上記生成した描画データを描画指令とともに描画関連の信号として筺体パネル３１に送信する（Ｓ１０８）。筺体パネル３１は、携帯電話機２０の本体から受けた信号に基づいて、上記所定の画像の描画信号を無給電表示部３１０に供給する。これにより、携帯電話機２０上に装着した筐体パネル３１に所定の画像を表示させることができる。
なお、内部メモリ２１１のアプリ用の記憶領域に、筐体パネル３１用の描画データが存在する場合は、上記アプリで描画データの生成処理を行わずに、ネイティブで描画データを生成してもよい。また、内部メモリ２１１から読み出した画像データを筐体パネル３１に送信して、筐体パネル３１で描画データの生成を行うようにしてもよい。
【００４６】
〔動作例２〕
図１３は、携帯電話機２０の本体に筺体パネル３１を装着するときの携帯電話機２０における他の動作例を示すフローチャートである。この動作例では、上記動作例１とは異なり、筐体パネル３１の装着時にパネル描画対応のアプリを自動起動している。
まず、利用者が携帯電話機２０の主電源をオンにした状態で筺体パネル３１を装着すると、携帯電話機２０のネイティブは、本体側電極端子２９４ａ，ｂ，ｃと筐体パネル３１のパネル側電極端子との接続（端子通電）を検知する（Ｓ２０１）。
次に、携帯電話機２０のネイティブは、上記端子通電を検知すると、アプリの自動起動が設定されているか否かを判定する（Ｓ２０２）。ここで、アプリの自動起動が設定されている場合、アプリ実行環境は、予め設定されたアプリを起動する（Ｓ２０３）。そして、上記動作例１のＳ１０２〜Ｓ１０８と同様に筐体パネル３１の描画処理を実行する（Ｓ２０４〜Ｓ２１０）。
一方、アプリの自動起動が設定されていない場合、携帯電話機２０のネイティブは、筐体パネル３１の描画処理が設定されているか否かを判定する（Ｓ２１１）。ここで、筐体パネル３１の描画処理が設定されている場合は、携帯電話機２０のネイティブにおいて、筐体パネル３１の描画処理が実行される（Ｓ２１２）。具体的には、筐体パネル３１用の画像データ（画像ファイル）を読み出して筺体パネル用の描画データを生成し、その描画データを描画指令とともに描画関連の信号として筺体パネル３１に送信する。
【００４７】
〔動作例３〕
図１４は、携帯電話機２０の本体に筺体パネル３１を装着するときの携帯電話機２０における更に他の動作例を示すフローチャートである。この動作例では、上記動作例１とは異なり、筺体パネル３１内に保存されている画像データを用いて筺体パネル３１に画像を描画している。
まず、利用者が携帯電話機２０の主電源をオンにした状態で筺体パネル３１を装着すると、携帯電話機２０のネイティブは、本体側電極端子２９４ａ，ｂ，ｃと筐体パネル３１のパネル側電極端子との接続（端子通電）を検知する（Ｓ３０１）。
次に、携帯電話機２０のネイティブは、上記端子通電を検知すると、筺体パネル３１内の内部メモリ３３５にアクセスし、その内部メモリ３３５に記憶されている画像の種別情報を取得する（Ｓ３０２）。また、携帯電話機２０のネイティブは、上記端子通電を検知すると筐体パネル３１が装着されているとみなし、そのパネル装着をアプリ実行環境に通知する（Ｓ３０３）。
次に、携帯電話機２０のアプリ実行環境は、実行中のアプリが、筐体パネル３１の描画処理に対応しているか否か、及び筐体パネル３１の描画処理が設定されているか否かをそれぞれ判定する（Ｓ３０４、Ｓ３０５）。ここで、実行中のアプリが、筐体パネル３１の描画処理に対応しており、しかも筐体パネル３１の描画処理が設定されている場合には、筐体パネル３１の内部メモリ３３５の所定記憶領域に、筐体パネル３１用の画像データ（画像ファイル）が存在するか否かを判定する（Ｓ３０６）。ここで、筐体パネル３１用の画像データ（画像ファイル）が存在する場合、携帯電話機２０のアプリ実行環境は、ネイティブに描画指令を出力する（Ｓ３０７）。一方、筐体パネル３１用の画像データ（画像ファイル）が存在しない場合は、その旨のエラーメッセージを液晶ディスプレイ２７に表示する（Ｓ３０８）。
次に、携帯電話機２０のネイティブは、上記描画指令を描画関連の信号として筺体パネル３１に送信する（Ｓ３０９）。筺体パネル３１は、携帯電話機２０の本体から受けた描画指令に基づいて、内部メモリ３３５から画像データ（画像ファイル）を読み出して描画データを生成する。この描画データに基づいて、上記所定の画像の描画信号を無給電表示部３１０に供給する。これにより、携帯電話機２０上に装着した筐体パネル３１に所定の画像を表示させることができる。
【００４８】
〔動作例４〕
図１５は、携帯電話機２０の本体に筺体パネル３１を装着するときの携帯電話機２０における更に他の動作例を示すフローチャートである。この動作例では、上記動作例１とは異なり、筐体パネル３１の装着時にパネル描画対応のアプリを自動起動し、筺体パネル３１内に保存されている画像データを用いて筺体パネル３１に画像を描画している。
まず、利用者が携帯電話機２０の主電源をオンにした状態で筺体パネル３１を装着すると、携帯電話機２０のネイティブは、本体側電極端子２９４ａ，ｂ，ｃと筐体パネル３１のパネル側電極端子との接続（端子通電）を検知する（Ｓ４０１）。
次に、携帯電話機２０のネイティブは、上記端子通電を検知すると、筺体パネル３１内の内部メモリ３３５にアクセスし、その内部メモリ３３５に記憶されている画像の種別情報を取得する（Ｓ４０２）。また、携帯電話機２０のネイティブは、上記端子通電を検知すると、アプリの自動起動が設定されているか否かを判定する（Ｓ４０３）。ここで、アプリの自動起動が設定されている場合、アプリ実行環境は、予め設定されたアプリを起動する（Ｓ４０４）。そして、上記動作例３のＳ３０３〜Ｓ３０９と同様に筐体パネル３１の描画処理を実行する（Ｓ４０５〜Ｓ４１１）。
一方、アプリの自動起動が設定されていない場合、携帯電話機２０のネイティブは、筐体パネル３１の描画処理が設定されているか否かを判定する（Ｓ４１２）。ここで、筐体パネル３１の描画処理が設定されている場合は、携帯電話機２０のネイティブにおいて、筐体パネル３１の描画処理が実行される（Ｓ４１３）。具体的には、筐体パネル３１用の画像データ（画像ファイル）を読み出して筺体パネル用の描画データを生成し、その描画データを描画指令とともに描画関連の信号として筺体パネル３１に送信する。
【００４９】
〔動作例５〜動作例８〕
図１６乃至図１９はそれぞれ、携帯電話機２０の本体に筺体パネル３１を装着するときの携帯電話機２０における動作例５乃至動作例８を示すフローチャートである。これらの動作例では、本体側電極端子とパネル側電極端子との接続を検知する代わりに、筐体パネル３１の係止を検知している。すなわち、利用者が携帯電話機２０の主電源をオンにした状態で筺体パネル３１を装着し、係止部材２９１ａ，２９１ｂを操作して筐体パネル３１を係止する。すると、携帯電話機２０は、係止センサ２２０により、係止部材２９１ａ，２９１ｂによる筐体パネル３１の係止を検知する（Ｓ５０１，Ｓ６０１，Ｓ７０１，Ｓ８０１）。他の動作は、動作例５乃至動作例８と同じであるので、説明を省略する。
【００５０】
〔動作例９〕
図２０は、携帯電話機２０の本体から筺体パネル３１を取り外すときの携帯電話機２０における動作例のフローチャートである。この動作例では、筐体パネル３１の係止解除を検知し、筺体パネル３１上の画像を消去している。
まず、利用者が携帯電話機２０の主電源をオンにした状態で係止部材２９１ａ，２９１ｂを操作して筐体パネル３１の係止を解除する。すると、携帯電話機２０のネイティブは、係止センサ２２０により、係止部材２９１ａ，２９１ｂによる筐体パネル３１の係止の解除を検知する（Ｓ９０１）。
次に、携帯電話機２０のネイティブは、上記係止解除を検知すると、その係止解除をアプリに通知する（Ｓ９０２）。この通知を受けたアプリの実行により、アプリ実行環境はネイティブに画像消去指令を出力する（Ｓ９０３）。
次に、携帯電話機２０のネイティブは、上記画像消去指令を描画関連の信号として筺体パネル３１に送信する（Ｓ９０４）。筺体パネル３１は、携帯電話機本体から受けた画像消去指令に基づいて、上記所定の画像消去信号を無給電表示部３１０に供給する。これにより、携帯電話機２０上に表示されていた画像を消去することができる。
【００５１】
なお、上記実施形態において筐体パネル３１に表示する画像は、上記図１に示すような主に外観デザインを構成するような画像に限らない。例えば、図２１に示すよう地図情報や、テキスト情報を表示する画像であってもよい。
また、上記実施形態においては、携帯電話機２０を例に挙げて説明したが、本発明は、他の移動体通信端末や携帯機器等の電子機器についても同様に適用できるものである。
【図面の簡単な説明】
【００５２】
【図１】（ａ）は本発明の実施形態に係る携帯電話機の外観の一例を示す正面図。（ｂ）は同携帯電話機の背面図。
【図２】（ａ）〜（ｃ）は図１（ｂ）における携帯電話機の蓋部のＡ−Ａ断面を矢印方向から見た断面図。
【図３】（ａ）〜（ｃ）は、携帯電話機の蓋部の部分拡大側面図。
【図４】（ａ）〜（ｃ）は、他の構成例にかかる携帯電話機の蓋部の部分拡大側面図。
【図５】（ａ）は本実施形態の携帯電話機における筐体パネルの一構成例を示す断面図。（ｂ）は同筐体パネルの動作原理を示す説明図。
【図６】他の構成例に係る筐体パネルの構成を示すケーシングの断面図。
【図７】筺体パネルの内部回路の概略構成を示すブロック図。
【図８】他の構成例に係る筺体パネルの内部回路の概略構成を示すブロック図。
【図９】更に他の構成例に係る筺体パネルの内部回路の概略構成を示すブロック図。
【図１０】本実施形態に係る携帯電話機の主な構成を示すブロック図。
【図１１】携帯電話機のソフトウェア構造を示す説明図。
【図１２】携帯電話機の本体に筺体パネルを装着するときの携帯電話機における動作例を示すフローチャート。
【図１３】携帯電話機の本体に筺体パネルを装着するときの携帯電話機における他の動作例を示すフローチャート。
【図１４】携帯電話機の本体に筺体パネルを装着するときの携帯電話機における更に他の動作例を示すフローチャート。
【図１５】携帯電話機の本体に筺体パネルを装着するときの携帯電話機における更に他の動作例を示すフローチャート。
【図１６】携帯電話機の本体に筺体パネルを装着するときの携帯電話機における更に他の動作例を示すフローチャート。
【図１７】携帯電話機の本体に筺体パネルを装着するときの携帯電話機における更に他の動作例を示すフローチャート。
【図１８】携帯電話機の本体に筺体パネルを装着するときの携帯電話機における更に他の動作例を示すフローチャート。
【図１９】携帯電話機の本体に筺体パネルを装着するときの携帯電話機における更に他の動作例を示すフローチャート。
【図２０】携帯電話機の本体から筺体パネルを取り外すときの携帯電話機における動作例を示すフローチャート。
【図２１】筐体パネルに表示する画像の他の例を示す携帯電話機の外観図。
【符号の説明】
【００５３】
２０  携帯電話機
２９  蓋部
３０  本体部
３１  筐体パネル
２００  アプリケーションプログラム実行管理部
２０１  通信インターフェース部
２１０  主制御部
２１１  内部メモリ
２２０  係止センサ
２９１ａ，２９１ｂ  係止部材
２９２ａ，２９２ｂ  回動軸
２９３ａ  溝部
２９４ａ〜２９４ｃ  本体側電極端子
３１０  無給電表示部
３１１  透明下基材層
３１２  コレステリック液晶層
３１３  透明上基材層
３１４  列電極
３１５  行電極
３３０  描画信号供給部
３３４ａ〜３３４ｃ  パネル側電極端子
【図１】
2007028342.tif 000003
【図２】
2007028342.tif 000004
【図３】
2007028342.tif 000005
【図４】
2007028342.tif 000006
【図５】
2007028342.tif 000007
【図６】
2007028342.tif 000008
【図７】
2007028342.tif 000009
【図８】
2007028342.tif 000010
【図９】
2007028342.tif 000011
【図１０】
2007028342.tif 000012
【図１１】
2007028342.tif 000013
【図１２】
2007028342.tif 000014
【図１３】
2007028342.tif 000015
【図１４】
2007028342.tif 000016
【図１５】
2007028342.tif 000017
【図１６】
2007028342.tif 000018
【図１７】
2007028342.tif 000019
【図１８】
2007028342.tif 000020
【図１９】
2007028342.tif 000021
【図２０】
2007028342.tif 000022
【図２１】
2007028342.tif 000023